(57)【特許請求の範囲】
【請求項１】
穀物乾燥機の排風口または穀物乾燥機に付設した排塵機の排塵口に接続して、穀物乾燥機の排風口または排塵機の排塵口から排出される排風中の塵埃を分離して収集する集塵装置であって、排風を導入して旋回させながら塵埃を分離する円錐筒体と、この円錐筒体を包囲する外筒体とで構成され、上記円錐筒体と外筒体の下端はともに略同じ高さで開口しており、外筒体にはその下端側から集塵袋を被せて袋の開口端を外筒体の外周面に止め保持する構成としたことを特徴とする穀物乾燥機の集塵装置。
【請求項２】
円錐筒体を包囲する外筒体は、その全長が円錐筒体の上端の外径と等しい内径の直円筒体であることを特徴とする請求項１記載の穀物乾燥機の集塵装置。
【請求項３】
円錐筒体を包囲する外筒体は、円錐筒体の上端側の上方に排風を接線方向に導入して旋回させる旋回部を成していることを特徴とする請求項１または２記載の穀物乾燥機の集塵装置。
【請求項４】
円錐筒体を包囲する外筒体の下端側外周に集塵袋の脱落防止のための膨出部を形成したことを特徴とする請求項１ないし３のいずれか１項記載の穀物乾燥機の集塵装置。
【請求項５】
円錐筒体とそれを包囲する外筒体の部分は、それらを垂直姿勢に保持するスタンドに取り付けられており、スタンドはその設置面と外筒体の下端との間隔を集塵袋の満量態様における上下高さと略同等に構成されていることを特徴とする請求項１ないし４のいずれか１項記載の穀物乾燥機の集塵装置。
【発明の詳細な説明】
【０００１】
【発明の属する技術分野】
本発明は、穀物乾燥機と併用して、穀物乾燥機の排風口または穀物乾燥機に付設した排塵機の排塵口から排出される排風中の塵埃を分離して集塵袋に収集する穀物乾燥機の集塵装置に関する。
【０００２】
【従来の技術】
穀物を通風乾燥する穀物乾燥機において、被乾燥穀物層を通過して排風口から排出される排風には、藁屑、穀物の殻、穎、毛茸、泥あるいは埃などの塵埃が多く含まれている。また、穀物乾燥機には、被乾燥穀物に混入している塵埃を除去する排塵機を付設することもあるが、この排塵機の排塵口からも排風にともなって多くの塵埃が排出される。
【０００３】
従来から、一般農家においては、図１７に示すように、穀物乾燥機ａの排風口ｂまたは付設した排塵機ｃの排風口ｄにダクトｅ，ｆを接続して屋外に導き、それらの排風口ｂ，ｄから塵埃を含んだ排風をダクトｅ，ｆを通してそのまま屋外に排出することが多く行われている。
【０００４】
しかしながら、穀物乾燥機ａの排風口ｂ，ｄから排出される排風を、ダクトｅ，ｆで屋外に導いて排出すると、塵埃による周辺の環境悪化が避けられないので、一般農家においても、穀物乾燥機に併設して用いる集塵装置の需要が高まっており、その需要に応えるべく、湿式または乾式の集塵装置が種々開発されている。
【０００５】
例えば、特開昭５９−４１７７６号公報または特開昭５９−７７２８７号公報は、穀物乾燥機の集塵装置の一例を示している。すなわち、その集塵装置は、集塵用排風機の排風口にダクトを介してサイクロンコレクターを接続したものであって、排風中に含まれる塵埃をサイクロンコレクターで捕集したうえ、その下に配置した集塵箱に集積するようになっている。
【０００６】
【発明が解決しようとする課題】
ところが、特開昭５９−４１７７６号公報または特開昭５９−７７２８７号公報に示す集塵装置のように、塵埃を集塵箱に集積すると、集積した塵埃を処理するにあたって、それを別の集塵袋や容器等に移し替えなければならないので、作業に手間取るうえ、塵埃の移し替え時に塵埃の一部が飛散して、作業環境を悪くすることが避けられないのが実情である。
【０００７】
このため、穀物乾燥機においては、捕集した塵埃を、ポリエチレン製などの密閉袋にそのまま収集して封止めできることが要望されるところである。
【０００８】
そこで、本発明は、その要望に応えるべく、排風を導入して旋回させながら塵埃を分離する円錐筒体を外筒体で包囲した構成とすることにより、集塵袋を下方に向かって縮径している円錐筒体ではなく、外筒体にその下側から被せて単に止め保持するだけで、円錐筒体の下端開口から排出される塵埃を外部に漏らすことなく集塵袋に収集することができ、収集した塵埃を袋ごと手間をかけずに、しかも周囲の作業環境を悪くすることなく処理できる穀物乾燥機の集塵装置を提供することを目的とする。
【０００９】
【課題を解決するための手段】
上記目的を達成するため、本発明は次のように構成した、すなわち、本発明の請求項１に係る穀物乾燥機の集塵装置は、穀物乾燥機の排風口または穀物乾燥機に付設した排塵機の排塵口に接続して、穀物乾燥機の排風口または排塵機の排塵口から排出される排風中の塵埃を分離して収集する集塵装置であって、排風を導入して旋回させながら塵埃を分離する円錐筒体と、この円錐筒体を包囲する外筒体とで構成され、上記円錐筒体と外筒体の下端はともに略同じ高さで開口しており、外筒体にはその下端側から集塵袋を被せて袋の開口端を外筒体の外周面に止め保持する構成としたことを特徴とするものである。
【００１０】
本発明の請求項２に係る穀物乾燥機の集塵装置は、請求項１の構成において、円錐筒体を包囲する外筒体は、その全長が円錐筒体の上端の外径と等しい内径の直円筒体であることを特徴とするものである。
【００１１】
本発明の請求項３に係る穀物乾燥機の集塵装置は、請求項１または２の構成において、円錐筒体を包囲する外筒体は、円錐筒体の上端側の上方に排風を接線方向に導入して旋回させる旋回部を成していることを特徴とするものである。
【００１２】
本発明の請求項４に係る穀物乾燥機の集塵装置は、請求項１ないし３のいずれかの構成において、円錐筒体を包囲する外筒体の下端側外周に集塵袋の脱落防止のための膨出部を形成したことを特徴とするものである。
【００１３】
本発明の請求項５に係る穀物乾燥機の集塵装置は、請求項１ないし４のいずれかの構成において、円錐筒体とそれを包囲する外筒体の部分は、それらを垂直姿勢に保持するスタンドに取り付けられており、スタンドはその設置面と外筒体の下端との間隔を集塵袋の満量態様における上下高さと略同等に構成されていることを特徴とするものである。
【００１４】
【発明の実施の形態】
図１は本発明に係る集塵装置の一実施の形態を示す全体斜視図、図２は図１のものに集塵袋を止め保持した態様を示す全体斜視図、図３は要部断面図、図４は集塵袋を止め保持した態様を示す要部断面図、図５は集塵袋を止め保持した他の態様を示す要部断面図、図６は図４の態様から集塵袋を取り外した態様を示す要部断面図、図７は集塵袋の他の止め保持態様を示す全体斜視図、図８は集塵袋のさらに他の止め保持態様を示す全体斜視図、図９は図８の要部断面図、図１０は図９の態様から止め保持した集塵袋を取り外す態様を示す要部断面図、図１１は本発明の他の実施の形態を示す要部断面図、図１２は図１１のものにおいて集塵袋の他の止め保持態様を示す断面図、図１３は本発明のさらに他の実施の形態を示す全体斜視図、図１４は図１３の要部平面図、図１５は本発明に係る集塵装置を穀物乾燥機に付設した態様を示す全体正面図、図１６は図１５の側面図である。
【００１５】
図１ないし図４において、１は本発明に係る集塵装置である。この集塵装置１の主要部は、円錐筒体２とそれを包囲する円筒状の外筒体３から成っており、円錐筒体２の上端は外筒体３の上部で一体に連結されていて、外筒体３の円錐筒体２との連結部、すなわち円錐筒体２の上端側の上方は、円筒状の旋回部４を成している。外筒体３の旋回部４には、穀物乾燥機に付設した排塵機（図示せず）の排塵口からの排風を接線方向に導入する排風送込口５が接続されており、外筒体３の閉じた上端面には筒状の排風口６が設けられている。
【００１６】
円錐筒体２の外筒体３に対する連結構造は、外筒体３の下端が開口しているため、必ずしも封止め状態であることを要求されない。外筒体３に対して円錐筒体２が結合しているだけで足りる。このため、製作工程における加工が容易である。
【００１７】
上記円錐筒体２はサイクロンを形成するもので、その下端は塵埃落下口７となっており、外筒体３の下端も開口していて、図３および図４に示すように円錐筒体２の塵埃落下口７と外筒体３の下端は略同じ高さで開口している。円錐筒体２を包囲する外筒体３は、その全長が円錐筒体２の最上端の外径と等しい内径の直円筒体であって、外筒体３の下端縁には、その全周にわたって外方に滑らかな曲面を成して膨出する膨出部８が一体に形成されている。この膨出部８は、集塵袋９の脱落防止のための滑り止めの作用をするものである。
【００１８】
使用する集塵袋９は特に限定されるものでないが、一般には薄いポリエチレン製のものが用いられる。しかして、集塵袋９が薄いポリエチレン製である場合には、引っ張り方向の強度は大であっても裂けやすいので、集塵袋９を被せて止め保持する外筒体３は、集塵袋９が裂けるのを防止するうえで外周面が膨出部８を含めて全体に滑らかな面を成していることが望ましい。本発明に係る集塵装置１においては、種々の実施の形態にかかわらず外筒体９をそのように構成している。
【００１９】
上記のように円錐筒体２とそれを包囲する外筒体３とは、それらを垂直姿勢に保持するスタンド１０に取り付けられており、スタンド１０は、そのＵ字状の足部１１が成す接地面と外筒体３の下端との間隔を集塵袋９の満量態様における上下高さと略同等に構成される。このため、スタンド１０の支柱部１２は、集塵袋９の大きさ等に応じて高さを調節できることが望ましい。そして、スタンド１０を上記のように構成することにより、集塵袋９に塵埃が充満してその重量が大となっても、集塵袋９の姿勢が安定し、かつスタンド１０の姿勢も不安定になることがない。
【００２０】
集塵袋９はその開口端側を外筒体３の下端側から被せて、弾性止め部材１３によって止め保持するので、集塵袋９に塵埃が溜まることによって重量が増しても、塵埃袋９は外筒体３の膨出部８に当たってそれより下方に滑ることがなく、外筒体３から塵埃袋９が脱落しない。
【００２１】
上述のように、集塵袋９はその開口端側を外筒体３の下端側から被せ、弾性止め部材１３によって止め保持するが、外筒体３の下端縁には集塵袋９の脱落防止のための膨出部８が形成されているので、外筒体３に対する集塵袋９の止め保持高さ位置は適宜でよい。例えば、図５に示すように、集塵袋９を外筒体３に深く被せて弾性止め部材１３で止め保持してもかまわない。そして、図５に示すように集塵袋９を止め保持した場合には、集塵袋９に収集される塵埃の量が増して重量が大になるにしたがって集塵袋９が順次下方に滑り降り、満量のときに至って図４の態様になるので、使用中において集塵袋９の位置によって塵埃の溜まり度合いが概ね把握できて便利である。
【００２２】
集塵袋９はその開口端側を、図６に示すように、予め縮径弾性輪（ゴム輪等）１３ａによって絞ったものであってもよい。そして、この態様の集塵袋９にあっては、絞られた開口端側を広げるようにして外筒体３の下端側から被せるだけで止め保持ができるうえ、集塵袋９が満杯になった際には、それを外筒体３の下端側から引く抜くだけで図６に示す態様に開口端側が略閉じるように絞られるので、収集した塵埃が集塵袋９から漏出することがなく、塵埃袋９に収集した塵埃の処理が簡便かつ衛生的にできる。
【００２３】
外筒体３に被せて止め保持する集塵袋９は、図７に示すように、締め付け機能を備えたバンド１３ｂであってもよく、このようなバンド１３ｂによれば、外筒体３に対する集塵袋９の着脱が容易であるうえ、バンド１３ｂは繰り返し使用することができる。
【００２４】
本発明に係る集塵装置１は、図８ないし図１０に示す構成であってもよい。この実施の形態にあっては、外筒体の下端に板状鍔１４を設けてあり、この板状鍔１４にスライド嵌合する袋止め枠体１５を備えて成るものである。そして、集塵袋９を外筒体３の下端側に止め保持するには、まず集塵袋９の開口側を袋止め枠体１５に被せたうえ、それを板状鍔１４にスライド嵌合すれば、集塵袋９は外筒体３の下端縁に開口状態に止め保持される。外筒体３から集塵袋９を取り外すには、袋止め枠体１５を板状鍔１４から抜き取る方向にスライドさせるか、あるいは図１０に示すように、袋止め枠体１５を少し変形させて板状鍔１４から抜き取ることにより行われれる。
【００２５】
図１１および図１２に示す本発明のさらに他の実施の形態においては、外筒体３をその下部寄りの部位から下方に向けて順次径を増すように拡開形成しており、集塵袋９の脱落防止のための膨出部８は設けていない。そして、図１１に示すものにあっては、集塵袋９を断面が円形のリング状止め部材１３ｃにより外筒体３の拡開部位に止め保持しており、図１２に示すものにあっては断面が帯状のリング状止め部材１３ｄにより外筒体３の拡開部位に止め保持している。なお、この実施の形態のように、外筒体３の下部寄りの部位から下方に向けて順次径を増すように拡開形成することにより、集塵袋９の止め保持にあたってそれを２点鎖線で示すように緩く掛け止めておくだけでもよく、集塵袋９に塵埃が収集されるにつれてそれが下方に移動して外筒体３の下端部に止め保持されるので、集塵袋９の外筒体３に対する装着作業が容易である。
【００２６】
図１３および図１４に示す本発明の他の実施の形態においては、外筒体３の旋回部４に、２系統の排風送込口５，５をいずれも接線方向に接続している。その他の構成は図１ないし図４に示すものと同じである。
【００２７】
本発明に係る集塵装置１は、図１５および図１６に示すように、穀物乾燥機１６に付設して使用するが、単独で使用する場合もある。図１５および図１６に示す使用態様においては、穀物乾燥機１６の上部に設けた排塵機１７の排風口と本発明に係る集塵装置１の排風送込口５とをダクト１８によって接続しており、排塵機１７から排風とともに吹き出す塵埃を収集する構成を成している。
【００２８】
【発明の効果】
本発明によれば、排風を導入して旋回させながら塵埃を分離する円錐筒体を外筒体で包囲した構成とすることにより、集塵袋を下方に向かって縮径している円錐筒体ではなく、外筒体にその下側から被せて単に止め保持するだけで、円錐筒体の下端開口から排出される塵埃を外部に漏らすことなく集塵袋に収集することができ、収集した塵埃を袋ごと手間をかけずに、しかも周囲の作業環境を悪くすることなく処理できる穀物乾燥機の集塵装置を提供することができる。
【図面の簡単な説明】
【図１】本発明に係る集塵装置の一実施の形態を示す全体斜視図である。
【図２】図１のものに集塵袋を止め保持した態様を示す全体斜視図である。
【図３】図１の要部断面図である。
【図４】集塵袋を止め保持した態様を示す要部断面図である。
【図５】集塵袋を止め保持した他の態様を示す要部断面図である。
【図６】図４の態様から集塵袋を取り外した態様を示す要部断面図である。
【図７】集塵袋の他の止め保持態様を示す全体斜視図である。
【図８】集塵袋のさらに他の止め保持態様を示す全体斜視図である。
【図９】図８の要部断面図である。
【図１０】図９の態様から止め保持した集塵袋を取り外す態様を示す要部断面図である。
【図１１】本発明の他の実施の形態を示す要部断面図である。
【図１２】図１１のものにおいて集塵袋の他の止め保持態様を示す断面図である。
【図１３】本発明のさらに他の実施の形態を示す全体斜視図である。
【図１４】図１３の要部平面図である。
【図１５】本発明に係る集塵装置を穀物乾燥機に付設した態様を示す全体正面図である。
【図１６】図１５の側面図である。
【図１７】穀物乾燥機における従来の排塵態様を示す側面図である。
【符号の説明】
１  集塵装置
２  円錐筒体
３  外筒体
４  旋回部
５  排風送込口
６  排風口
７  塵埃落下口
８  膨出部
９  集塵袋
１０  スタンド
１１  Ｕ字状の足部
１２  支柱部
１３  弾性止め部材
１３ａ  縮径弾性輪（ゴム輪等）
１３ｂ  締め付け機能を備えたバンド
１３ｃ  円形のリング状止め部材
１３ｄ  帯状のリング状止め部材
１４  板状鍔
１５  袋止め枠体
１６  穀物乾燥機
１７  排塵機
１８  ダクト
【図１】
0003835719.tif 000002
【図２】
0003835719.tif 000003
【図３】
0003835719.tif 000004
【図４】
0003835719.tif 000005
【図５】
0003835719.tif 000006
【図６】
0003835719.tif 000007
【図７】
0003835719.tif 000008
【図８】
0003835719.tif 000009
【図９】
0003835719.tif 000010
【図１０】
0003835719.tif 000011
【図１１】
0003835719.tif 000012
【図１２】
0003835719.tif 000013
【図１３】
0003835719.tif 000014
【図１４】
0003835719.tif 000015
【図１５】
0003835719.tif 000016
【図１６】
0003835719.tif 000017
【図１７】
0003835719.tif 000018